(57)【要約】【課題】ＬＴＥ方式の通信システムとＣＤＭＡ方式の通信システムとを効率的に接続することができる電子機器、通信方法及びプログラムを提供すること。【解決手段】所定の規格に準拠する通信方式を用いて、外部機器と通信を行う通信部３１と、メモリ３２の初期化を行うメモリドライバ部３３と、メモリ３２の初期化完了通知を受信した場合、メモリ３２に記憶されている情報に基づいて、所定の処理を行う通信制御部３４と、通信部３１からＷａｉｔｉｎｇ状態である旨が通知され、かつ、通信制御部３４から接続情報の通知を受信した場合には、通信部３１に対してレジストレーションを要求するデータ通信処理部３５を備える。通信部３１は、データ通信処理部３５からのレジストレーションの要求に応じて、所定の条件を満たす外部機器に対してレジストレーションを要求する。【選択図】図２
2014027334.tif 000002
【特許請求の範囲】
【請求項１】
所定の規格に準拠する通信方式を用いて、外部機器と通信を行う通信部と、
加入者情報を含む複数の情報が記憶されているメモリにアクセスし、メモリの初期化を行うメモリドライバ部と、
前記メモリドライバ部からメモリの初期化が完了した旨の通知を受信した場合、前記メモリに記憶されている情報に基づいて、所定の処理を行う通信制御部と、
前記通信部から外部機器のサーチが完了し、所定の条件を満たす外部機器と通信が行える状態である旨が通知され、かつ、前記通信制御部から前記所定の処理が完了し、外部機器に接続するための情報の通知を受信した場合には、前記通信部に対してレジストレーションを要求するデータ通信処理部を備え、
前記通信部は、前記データ通信処理部からのレジストレーションの要求に応じて、前記所定の条件を満たす外部機器に対してレジストレーションを要求する電子機器。
【請求項２】
前記データ通信処理部は、前記外部機器に接続するための情報の通知を受信した場合に、当該情報が記憶されているかどうかを判断し、記憶されていない場合には、当該情報を記憶する請求項１記載の電子機器。
【請求項３】
データ通信を行うか否かを設定する設定部を備え、
前記通信制御部は、前記メモリドライバ部からシステムの初期化が完了した旨の通知を受信した場合、前記設定部によりデータ通信を行う旨の設定が行われていることを条件として、前記メモリに記憶されている前記情報に基づいて、所定の処理を行う請求項１記載の電子機器。
【請求項４】
所定の規格に準拠する通信方式を用いて、外部機器と通信を行う通信工程と、
加入者情報を含む複数の情報が記憶されているメモリにアクセスし、システムの初期化を行う初期化工程と、
前記初期化が完了した旨の通知を受信した場合、前記メモリに記憶されている情報に基づいて、所定の処理を行う通信制御工程と、
前記通信工程により外部機器のサーチが完了し、所定の条件を満たす外部機器と通信が行える状態である旨が通知され、かつ、前記通信制御工程から前記所定の処理が完了し、外部機器に接続するための情報の通知を受信した場合には、前記通信工程に対してレジストレーションを要求するデータ通信処理工程を備え、
前記通信工程は、前記データ通信処理工程によりレジストレーションの要求が行われた場合、前記所定の条件を満たす外部機器に対してレジストレーションを要求する通信方法。
【請求項５】
所定の規格に準拠する通信方式を用いて、外部機器と通信を行う通信工程と、
加入者情報を含む複数の情報が記憶されているメモリにアクセスし、システムの初期化を行う初期化工程と、
前記初期化が完了した旨の通知を受信した場合、前記メモリに記憶されている情報に基づいて、所定の処理を行う通信制御工程と、
前記通信工程により外部機器のサーチが完了し、所定の条件を満たす外部機器と通信が行える状態である旨が通知され、かつ、前記通信制御工程から前記所定の処理が完了し、外部機器に接続するための情報の通知を受信した場合には、前記通信工程に対してレジストレーションを要求するデータ通信処理工程をコンピュータに実行させるためのプログラムであって、
前記通信工程は、前記データ通信処理工程によりレジストレーションの要求が行われた場合、前記所定の条件を満たす外部機器に対してレジストレーションを要求するプログラム。
【発明の詳細な説明】
【技術分野】
【０００１】
本発明は、通信を行う電子機器、通信方法及びプログラムに関する。
【背景技術】
【０００２】
近年、携帯電話機等の電子機器が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【先行技術文献】
【特許文献】
【０００３】
【特許文献１】特開２０１２−１３４８５３号公報
【発明の概要】
【発明が解決しようとする課題】
【０００４】
ここで、ＬＴＥ方式の通信システムとＣＤＭＡ方式の通信システムとは、それぞれ独立したシステムであり、効率的に接続するための技術が求められている。
【０００５】
本発明では、ＬＴＥ方式の通信システムとＣＤＭＡ方式の通信システムとを効率的に接続することができる電子機器、通信方法及びプログラムを提供することを目的とする。
【課題を解決するための手段】
【０００６】
本発明に係る電子機器は、上記課題を解決するために、所定の規格に準拠する通信方式を用いて、外部機器と通信を行う通信部と、加入者情報を含む複数の情報が記憶されているメモリにアクセスし、メモリの初期化を行うメモリドライバ部と、前記メモリドライバ部からメモリの初期化が完了した旨の通知を受信した場合、前記メモリに記憶されている情報に基づいて、所定の処理を行う通信制御部と、前記通信部から外部機器のサーチが完了し、所定の条件を満たす外部機器と通信が行える状態である旨が通知され、かつ、前記通信制御部から前記所定の処理が完了し、外部機器に接続するための情報の通知を受信した場合には、前記通信部に対してレジストレーションを要求するデータ通信処理部を備え、前記通信部は、前記データ通信処理部からのレジストレーションの要求に応じて、前記所定の条件を満たす外部機器に対してレジストレーションを要求する構成である。
【０００７】
電子機器では、前記データ通信処理部は、前記外部機器に接続するための情報の通知を受信した場合に、当該情報が記憶されているかどうかを判断し、記憶されていない場合には、当該情報を記憶する構成でもよい。
【０００８】
電子機器では、データ通信を行うか否かを設定する設定部を備え、前記通信制御部は、前記メモリドライバ部からメモリの初期化が完了した旨の通知を受信した場合、前記設定部によりデータ通信を行う旨の設定が行われていることを条件として、前記メモリに記憶されている前記情報に基づいて、所定の処理を行う構成でもよい。
【０００９】
本発明に係る通信方法は、上記課題を解決するために、所定の規格に準拠する通信方式を用いて、外部機器と通信を行う通信工程と、加入者情報を含む複数の情報が記憶されているメモリにアクセスし、メモリの初期化を行う初期化工程と、前記初期化が完了した旨の通知を受信した場合、前記メモリに記憶されている情報に基づいて、所定の処理を行う通信制御工程と、前記通信工程により外部機器のサーチが完了し、所定の条件を満たす外部機器と通信が行える状態である旨が通知され、かつ、前記通信制御工程から前記所定の処理が完了し、外部機器に接続するための情報の通知を受信した場合には、前記通信工程に対してレジストレーションを要求するデータ通信処理工程を備え、前記通信工程は、前記データ通信処理工程によりレジストレーションの要求が行われた場合、前記所定の条件を満たす外部機器に対してレジストレーションを要求する構成である。
【００１０】
本発明に係るプログラムは、上記課題を解決するために、所定の規格に準拠する通信方式を用いて、外部機器と通信を行う通信工程と、加入者情報を含む複数の情報が記憶されているメモリにアクセスし、メモリの初期化を行う初期化工程と、前記初期化が完了した旨の通知を受信した場合、前記メモリに記憶されている情報に基づいて、所定の処理を行う通信制御工程と、前記通信工程により外部機器のサーチが完了し、所定の条件を満たす外部機器と通信が行える状態である旨が通知され、かつ、前記通信制御工程から前記所定の処理が完了し、外部機器に接続するための情報の通知を受信した場合には、前記通信工程に対してレジストレーションを要求するデータ通信処理工程をコンピュータに実行させるためのプログラムであって、前記通信工程は、前記データ通信処理工程によりレジストレーションの要求が行われた場合、前記所定の条件を満たす外部機器に対してレジストレーションを要求するものである。
【発明の効果】
【００１１】
本発明によれば、ＬＴＥ方式の通信システムとＣＤＭＡ方式の通信システムとを効率的に接続することができる。
【図面の簡単な説明】
【００１２】
【図１】携帯電話機の外観を示す斜視図である。
【図２】携帯電話機の機能を示すブロック図である。
【図３】現状の課題についての説明に供する図である。
【図４】本実施例についての説明に供する図である。
【図５】携帯電話機の処理の流れについての説明に供するタイミングチャートである。
【発明を実施するための形態】
【００１３】
以下、本発明の実施形態について説明する。なお、本実施形態では、電子機器の一例として携帯電話機１を説明する。
【００１４】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１５】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１６】
また、表示部側筐体３は、表面部２０に、各種情報を表示するための表示部２１と、通話の相手側の音声を出力するレシーバ２２と、を備えて構成されている。
【００１７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１８】
このように構成される携帯電話機１は、ＬＴＥ方式の通信システムとＣＤＭＡ方式の通信システムとを効率的に接続する機能を有している。以下に、当該機能を実現するための具体的な構成について説明する。
【００１９】
携帯電話機１は、図２に示すように、通信部３１と、メモリ３２と、メモリドライバ部３３と、通信制御部３４と、データ通信処理部３５とを備え、ＬＴＥ方式の通信システムとＣＤＭＡ方式の通信システムとを効率的に接続することができる。
【００２０】
ここで、本実施例に係る携帯電話機１は、Ａｎｄｒｏｉｄ（登録商標）システムが搭載されていることを想定している。Ａｎｄｒｏｉｄシステムでは、Ｌｉｎｕｘ（登録商標）部とＭｏｄｅｍ部により構成されている。Ｌｉｎｕｘ部には、Ｔｅｌｅｐｈｏｎｙ機能部が実装されている。Ｍｏｄｅｍ部には、ＵＩＭドライバ部と、ＤａｔａＳｅｒｖｉｃｅ機能部と、ＣＭ／ＬＴＥが実装されている。なお、Ｔｅｌｅｐｈｏｎｙ機能部は、後述する通信制御部３４に相当する。ＵＩＭドライバ部は、後述するメモリドライバ部３３に相当する。ＤａｔａＳｅｒｖｉｃｅ機能部は、後述するデータ通信処理部３５に相当する。ＣＭ／ＬＴＥは、後述する通信部３１に相当する。
【００２１】
また、Ａｎｄｒｏｉｄシステムでは、データ通信を行う場合、Ｔｅｌｅｐｈｏｎｙ機能部がＤａｔａＳｅｒｖｉｃｅ機能部に対してデータ通信接続要求を送信することで、ＣＭ／ＬＴＥの先にあるネットワークへの通信が確立する。
【００２２】
この時、一部のキャリアによっては、接続先ＡＰＮの情報を動的に変化させ、通信コネクションを確立することを要求してくる場合もある。
ＣＤＭＡ方式の通信システムでは、Ｌｉｎｕｘ部に実装されているＴｅｌｅｐｈｏｎｙ機能部からの要求にしたがって、Ｍｏｄｅｍ部が通信コネクションを確立する。
【００２３】
一方、ＬＴＥシステムでは、従来のＣＤＭＡ、ＧＳＭ（登録商標）、又はＵＭＴＳ等の２Ｇ／３Ｇ端末とＰＰＰセッションの確立、及びＩＰアドレスの取得のシーケンスが異なっており、Ｍｏｄｅｍ部とＬｉｎｕｘ部は非同期に通信コネクションの確立処理が行われる。
【００２４】
つまり、ＬＴＥシステムでは、ＣＤＭＡ等とは異なり、ネットワークのサーチから通信コネクションの確立までをＴｅｌｅｐｈｏｎｙ機能部からの要求に基づかず、独立して処理を行っている。
【００２５】
そうすると、ＬＴＥシステムは、Ｔｅｌｅｐｈｏｎｙ機能部で生成する接続情報がＭｏｄｅｍ部へ渡らないままＬＴＥ網への接続を試みることになり、ＬＴＥ網への通信コネクションの確立が困難になる。
【００２６】
具体的には、現状では、図３に示すようなケースが考えられる。
メモリドライバ部３３は、加入者情報を含む複数の情報が記憶されているメモリ３２にアクセスし、メモリの初期化を行い、初期化が完了した場合、初期化が完了した旨を通信制御部３４に通知（以下、初期化完了通知という。）する。
【００２７】
通信制御部３４は、メモリ３２に記憶されている情報に基づいて、所定の処理を行い、通信部３１に対して、携帯電話機１が圏内にあるかどうかを確認するための通知（以下、圏内状態取得通知という。）を行う。
【００２８】
通信部３１は、圏内状態取得通知を受信したことに応じて、外部機器に対して問い合わせを行い、その結果を通信制御部３４に通知する。
【００２９】
通信制御部３４は、通信部３１から通知される結果に基づいて、メモリ３２に記憶されている情報から外部機器に接続するための情報（以下、接続情報という。）の生成を行う。なお、接続情報とは、例えば、ＩＤ、パスワード、アクセスポイントネーム（ＡＰＮ）等のことである。通信制御部３４は、生成した接続情報をデータ通信処理部３５に送信し、データの接続（ＬＴＥへの接続）を要求する。
【００３０】
一方、通信部３１は、外部機器のサーチを行い、所定の条件を満たす外部機器と通信が行える状態であることを確認した場合、その旨の通知（以下、Ｗａｉｔｉｎｇ状態通知という。）をデータ通信処理部３５に行う。
【００３１】
データ通信処理部３５は、通信部３１からＷａｉｔｉｎｇ状態通知を受信した場合、所定の処理を行って、通信部３１にレジストレーション（Ａｔｔａｃｈ）要求を行う。
通信部３１は、データ通信処理部３５からのレジストレーションの要求に応じて、所定の条件を満たす外部機器に対してレジストレーションの要求を行う。
【００３２】
つまり、通信部３１は、通信制御部３４とは非同期に外部機器と通信を行うので、所定の条件を満たす外部機器に対してレジストレーションの要求を行うタイミングに、通信制御部３４から通知される接続情報が間に合わない。
このような場合には、外部機器は、接続情報が含まれていないレジストレーションの要求を受け取るので、通信部３１に対して、当該要求を拒絶する通知を応答することになる。
【００３３】
このようにして、現状では、外部機器は、無用な通信が発生し、負荷がかかってしまう。そこで、本実施例では、図４に示すように、データ通信処理部３５は、通信制御部３４から接続情報が通知されるまで、レジストレーションの要求を行わないように制御することにより、外部機器への負荷を抑制する。
【００３４】
つまり、携帯電話機１は、ＤａｔａＳｅｒｖｉｃｅ機能部がＴｅｌｅｐｈｏｎｙ機能部から接続情報を受信することをＬＴＥ網への接続開始の条件とすることにより、ＬＴＥ網への通信コネクションの確立を確実なものにする。
【００３５】
具体的な構成について、以下に述べる。なお、図４中の破線で囲った部分Ａは、従来の処理と同一であり変更していない。これは、従来のネットワーク（ＧＳＭ／ＣＤＭＡ／Ｗ−ＣＤＭＡ）による接続も考慮したものである。
【００３６】
通信部３１は、所定の規格に準拠する通信方式を用いて、外部機器と通信を行う。所定の規格に準拠する通信方式は、例えば、ＬＴＥ（Ｌｏｎｇ  Ｔｅｒｍ  Ｅｖｏｌｕｔｉｏｎ）方式である。外部機器とは、基地局のことである。
【００３７】
また、通信部３１は、いわゆるＣＭ（ｃａｌｌ  ｍａｎａｇｅｒ）と呼ばれており、複数の通信方式に対応しているものとする。本実施例では、通信部３１は、音声及びデータ通信用の通信プロトコルであるＧＳＭ、Ｗ−ＣＤＭＡ（ＵＭＴＳ）又はＣＤＭＡ２０００＿１ｘ方式と、主に高速データ通信に用いられる通信プロトコルであるＬＴＥ方式との双方に対応しており、いずれのプロトコルの通信システムでも通信可能であるものとする。
【００３８】
通信部３１は、通信制御部３４からの指令に基づいて、いずれかのプロトコルにより基地局と通信を行う。例えば、携帯電話機１は、データ通信時にはＬＴＥ方式によるＬＴＥシステムでの通信を優先し、音声通話時には、ＧＳＭ、Ｗ−ＣＤＭＡ、又はＣＤＭＡ＿１ｘ方式によるシステムでの通信へ切り替えるものとする。
【００３９】
メモリドライバ部３３は、加入者情報を含む複数の情報が記憶されているメモリ３２にアクセスし、メモリの初期化を行う。メモリ３２は、例えば、電話番号及び固有のＩＤ番号等が記録されているＵＩＭカード（Ｕｓｅｒ  Ｉｄｅｎｔｉｔｙ  Ｍｏｄｕｌｅ  Ｃａｒｄ）、又はこれに類似するカードのことである。
【００４０】
具体的には、メモリドライバ部３３は、携帯電話機１の電源がＯＮ状態になったときに、メモリ３２にアクセスして情報を読み出し、メモリ３２の初期化を行う。メモリドライバ部３３は、メモリ３２の初期化が完了した場合、初期化が完了した旨を通信制御部３４に通知する。
【００４１】
通信制御部３４は、メモリドライバ部３３からメモリ３２の初期化が完了した旨の通知を受信した場合、メモリ３２に記憶されている情報に基づいて、所定の処理を行う。なお、通信制御部３４は、テレフォニー（ｔｅｌｅｐｈｏｎｙ）とも呼ばれている。また、通信制御部３４は、所定の処理として、メモリ３２に記憶されている情報から外部機器に接続するための情報（ＩＤとパスワード）の生成を行う。
【００４２】
データ通信処理部３５は、通信部３１から外部機器のサーチが完了し、所定の条件を満たす外部機器と通信が行える状態である旨が通知され、かつ、通信制御部３４から所定の処理が完了し、外部機器に接続するための情報（以下、接続情報という。）の通知を受信した場合には、通信部３１に対してレジストレーションを要求する。所定の条件を満たす外部機器とは、携帯電話機１の周辺に配置されている外部機器であって、最も良好に通信を行うことができる外部機器のことである。接続情報とは、例えば、通信制御部３４で生成された外部機器に接続するためのＩＤ、パスワード、アクセスポイントネーム（ＡＰＮ）等のことである。
【００４３】
通信部３１は、データ通信処理部３５からのレジストレーションの要求に応じて、所定の条件を満たす外部機器に対してレジストレーションを要求する。レジストレーションとは、Ａｔｔａｃｈ要求と同義であり、位置登録の要求、ＩＰアドレスの取得の要求及び認証等を行うことを意味している。
【００４４】
このように構成されることにより、携帯電話機１は、ＬＴＥ方式の通信システムとＣＤＭＡ方式の通信システムとを効率的に接続することができるので、外部機器に対する負荷を低減することができる。
【００４５】
データ通信処理部３５は、外部機器に接続するための情報の通知を受信した場合に、当該情報が記憶されているかどうかを判断し、記憶されていない場合には、当該情報を記憶する構成でもよい。
【００４６】
携帯電話機１は、電源がＯＮ状態になったときに、メモリドライバ部３３によりメモリ３２にアクセスして、初期化を行う。メモリ３２は、着脱が可能なので、交換される場合がある。よって、携帯電話機１は、電源がＯＮ状態になったときには、毎回、メモリ３２の初期化を行う。
【００４７】
通信制御部３４は、メモリ３２に記憶されている情報から接続情報（ＩＤ及びパスワード等）の生成を行う。
データ通信処理部３５は、通信制御部３４から接続情報の通知を受信した場合に、内部メモリの情報を更新し保存する。この内部メモリの情報は、電源がＯＦＦになったときに消去される。
【００４８】
一方、データ通信処理部３５は、内部メモリの情報を参照し、受信した接続情報と同一のものが記憶されていると判断した場合には、接続情報を記憶（更新）しない。
【００４９】
このようにして、携帯電話機１は、始めての使用か否か、又はメモリ３２の交換の有無によって、接続情報の更新が必要かどうかを判断するので、無用な処理の発生を抑制することができる。
【００５０】
携帯電話機１は、図２に示すように、データ通信を行うか否かを設定する設定部３６を備える構成でもよい。通信制御部３４は、メモリドライバ部３３からメモリ３２の初期化が完了した旨の通知を受信した場合、設定部３６によりデータ通信を行う旨の設定が行われていることを条件として、メモリ３２に記憶されている情報に基づいて、所定の処理を行う。
【００５１】
設定部３６は、ユーザの操作に応じてデータ通信が有効（ＯＮ）か無効（ＯＦＦ）の状態が設定される。例えば、データ通信をＷｉＦｉに限定させる場合、又は海外等で意図しないデータ通信を行いたくない場合において、予めデータ通信を行わないようにユーザがＵＩ上で設定することが考えられる。
【００５２】
このようにして、携帯電話機１は、設定部３６の設定に応じて、データの接続を行うかどうかを判断するので、無用な処理の発生を抑制することができる。
【００５３】
つぎに、携帯電話機１の処理の流れについて、図５のタイミングチャートを用いて説明する。なお、ＡＸＧＰ（Ａｄｖａｎｃｅｄ  ｅＸｔｅｎｄｅｄ  Ｇｌｏｂａｌ  Ｐｌａｔｆｏｒｍ）による通信サービスは、非Ａｃｔｉｖｅ状態であるものとする。
【００５４】
ステップＳＴ１において、メモリドライバ部３３は、携帯電話機１の電源がＯＮ状態になったときに、メモリ３２にアクセスして、メモリ３２の初期化の処理を行う。
【００５５】
ステップＳＴ２において、メモリドライバ部３３は、メモリ３２の初期化が完了した場合、初期化完了通知を通信制御部３４に行う。
【００５６】
ステップＳＴ３において、通信制御部３４は、初期化完了通知を受信した場合、設定部３６によりデータ通信を行う旨の設定が有効（ＯＮ状態）かどうかを判断する。設定が有効（ＯＮ状態）の場合（Ｙｅｓ）には、ステップＳＴ４に進み、設定が無効の場合（Ｎｏ）には、ＬＴＥへのアクセスを行わない。なお、設定が無効から有効に変更された場合には、ステップＳＴ４からステップＳＴ９の処理が実行されることになる。
【００５７】
ステップＳＴ４において、通信制御部３４は、メモリ３２に記憶されている情報から接続情報（ＩＤとパスワード）の生成を行う。
【００５８】
ステップＳＴ５において、通信制御部３４は、接続情報をデータ通信処理部３５に通知する。
【００５９】
一方、ステップＳＴ６において、通信部３１は、ＬＴＥ通信を行える外部機器のサーチ、いわゆるセルサーチを行い、所定の条件を満たす外部機器と通信が行える状態であることを確認する。なお、本実施例では、ステップＳＴ１の工程とステップＳＴ６の工程は、同じタイミングで行われるものとして説明するが、これに限られない。
【００６０】
ステップＳＴ７において、通信部３１は、所定の条件を満たす外部機器と通信が可能でることを確認した場合、Ｗａｉｔｉｎｇ状態通知をデータ通信処理部３５に行う。
【００６１】
ステップＳＴ８において、データ通信処理部３５は、通信部３１からＷａｉｔｉｎｇ状態通知を受け取り、かつ、通信制御部３４から接続情報の通知を受信した場合には、内部メモリの情報を更新する。なお、データ通信処理部３５は、内部メモリの情報に同一の接続情報が既に記憶されていれば、更新は行わない。
【００６２】
ステップＳＴ９において、データ通信処理部３５は、通信部３１に対してレジストレーションを要求する。通信部３１は、外部機器に対してレジストレーションを要求する。
携帯電話機１は、このようにして、ＡＸＧＰによる通信サービスをＡｃｔｉｖｅ状態にする。
【００６３】
ステップＳＴ１０において、通信制御部３４は、通信部３１に対して、位置登録が完了しているかどうかを問い合わせる。通信部３１は、外部機器に対して位置登録が完了しているかどうかを問い合わせる。
【００６４】
ステップＳＴ１１において、通信部３１は、外部機器からの応答を通知する。
ステップＳＴ１２において、通信制御部３４は、圏内であるかどうかの判定を行う。外部機器において位置登録が完了していれば圏内である。
ステップＳＴ１３において、通信制御部３４は、データ通信処理部３５にデータの接続を要求する。
ステップＳＴ１４において、データ通信処理部３５は、データが接続済みであるか否かを判定する。データが接続済みであると判定した場合（Ｙｅｓ）には、ステップＳＴ１５に進み、データが接続済みでないと判定した場合（Ｎｏ）には、ステップＳＴ１４の処理を繰り返す。
ステップＳＴ１５において、データ通信処理部３５は、データが接続済みであると判定された場合、通信制御部３４にデータが接続済みであることを返信する。
よって、従来の処理を動かしても、ＬＴＥの接続に対して悪影響を受けないようになっている。
【００６５】
上述したように、携帯電話機１は、メモリドライバ部３３によるメモリ３２の初期化完了通知に基づいて、通信制御部３４によりＬＴＥ網への通信コネクション用の接続情報の生成を行い、通信制御部３４（Ｔｅｌｅｐｈｏｎｙ機能部）からデータ通信処理部３５（ＤａｔａＳｅｒｖｉｃｅ機能部）へ生成した接続情報を通知する。なお、通信制御部３４は、ＵＩ上のデータ通信の設定が、有効になっていることを条件にして、ＬＴＥ網への通信コネクション用の接続情報の生成を行うようにしてもよい。
【００６６】
また、携帯電話機１は、一定条件下において、通信制御部３４から通知された接続情報に基づいて、データ通信処理部３５により内部メモリの情報の更新を行うことにより、レジストレーションの要求を行うときに用いる接続情報を書き換える構成でもよい。
【００６７】
さらに、携帯電話機１は、通信制御部３４（Ｔｅｌｅｐｈｏｎｙ機能部）からの接続情報の通知を条件として、データ通信処理部３５（ＤａｔａＳｅｒｖｉｃｅ機能部）からＬＴＥ網へレジストレーションの要求を行う。
【００６８】
このように構成されることにより、携帯電話機１は、意図したＡＰＮへのアクセスが正しく行われ、外部機器への負荷を軽減しつつＬＴＥ網の使用が可能になる。また、携帯電話機１は、既存のシーケンスを残すので、端末側の設計変更を最小限に抑えることができる。また、携帯電話機１は、既存のシーケンスを残すことで、ＬＴＥ網の圏外状態でも今までのシステムが通常通り動作するメリットがある。
【００６９】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７０】
前述の実施形態では、音声発信を例に説明したが、本発明はこれには限られず、例えば、ＣＤＭＡシステムにおけるパケット通信サービスに対しても適用可能である。この場合、本発明は、発信及び着信のいずれに対しても適用可能である。
【００７１】
前述の実施形態におけるＷ−ＣＤＭＡ方式、ＣＤＭＡ２０００＿１ｘ方式及びＬＴＥ方式は一例に過ぎず、他の通信プロトコルであってもよい。位置登録の際のゾーン間の連携さえあれば、例えば、ＧＳＭ方式と他のデータ通信に特化した方式であっても同様である。
【００７２】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【００７３】
また、本実施例では、主に携帯電話機の構成と動作について説明したが、これに限られず、各構成要素を備え、ＬＴＥ方式の通信システムとＣＤＭＡ方式の通信システムとを効率的に接続するための通信方法、及びプログラムとして構成されてもよい。
【００７４】
さらに、携帯電話機の機能を実現するためのプログラムをコンピュータで読み取り可能な記録媒体に記録して、この記録媒体に記録されたプログラムをコンピュータシステムに読み込ませ、実行することによって実現してもよい。
【００７５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００７７】
１  携帯電話機
３１  通信部
３２  メモリ
３３  メモリドライバ部
３４  通信制御部
３５  データ通信処理部
３６  設定部
【図１】
2014027334.tif 000003
【図２】
2014027334.tif 000004
【図３】
2014027334.tif 000005
【図４】
2014027334.tif 000006
【図５】
2014027334.tif 000007